(57)【特許請求の範囲】
【請求項１】
表示手段と、
鳴動手段と、
メール作成動作中にメール着信があったとき、鳴動抑止設定がなされているか否かを判別する判別手段と、
該判別手段によって、鳴動抑止設定がなされていることが判別されたときにおいては上記表示手段にメール着信表示を行わせる、表示制御手段とを有し、
上記判別手段によって、鳴動抑止設定がなされていることが判別されたときにおいてはメール作成中止動作機能を禁止させ、
上記判別手段によって、鳴動抑止設定がなされていないことが判別されたときにおいてはメール作成中止動作を行い、メール着信に関する鳴動を行い、着信したメールを上記表示手段に表示させる
メール送受信装置。
【請求項２】
表示手段と、
鳴動手段と、
文字入力動作中に着信があったとき、鳴動抑止設定がなされているか否かを判別する判別手段と、
該判別手段によって、鳴動抑止設定がなされていることが判別されたときにおいては上記表示手段に着信表示を行わせる、表示制御手段とを有し、
上記判別手段によって、鳴動抑止設定がなされていることが判別されたときにおいては文字入力中止動作機能を禁止させ、
上記判別手段によって、鳴動抑止設定がなされていないことが判別されたときにおいてはメール作成中止動作を行い、メール着信に関する鳴動を行い、着信したメールを上記表示手段に表示させる
携帯電話機。
【発明の詳細な説明】
【０００１】
【発明の属する技術分野】
本発明はメール送受信装置及び携帯電話機に関する。
【０００２】
【従来の技術】
例えば、従来の携帯電話機において、メール作成動作中にメール着信があると、そのメール作成が中断され、メール表示画面に移行してしまうため、メール作成を再開するためには、再度メール作成画面に移行しなければならないという欠点があった。
【０００３】
【発明が解決しようとする課題】
かかる点に鑑み、本発明は、メール作成動作中にメール着信があっても、メール作成が中断されることがなく、しかも、メール着信を知らせる鳴動の発生を停止することのできるメール送受信装置を提案しようとするものである。
【０００４】
又、本発明は、文字入力動作中に着信があっても、文字入力が中断されることがなく、しかも、着信を知らせる鳴動の発生を停止することのできる携帯電話機を提案しようとするものである。
【０００５】
更に、本発明は、メール作成動作中にメール着信があっても、メール作成が中断されることがなく、しかも、メール着信を知らせる鳴動の発生を停止することのできる携帯電話機を提案しようとするものである。
【０００６】
【課題を解決するための手段】
第１の発明は、表示手段と、鳴動手段と、メール作成動作中にメール着信があったとき、鳴動抑止設定がなされているか否かを判別する判別手段と、その判別手段によって、鳴動抑止設定がなされていることが判別されたときにおいては表示手段にメール着信表示を行わせる、表示制御手段とを有し、判別手段によって、鳴動抑止設定がなされていることが判別されたときにおいてはメール作成中止動作機能を禁止させ、判別手段によって、鳴動抑止設定がなされていないことが判別されたときにおいてはメール作成中止動作を行い、メール着信に関する鳴動を行い、着信したメールを表示手段に表示させるようにしたメール送受信装置である。
【０００７】
第１の発明によれば、メール作成動作中にメール着信があったとき、判別手段によって、鳴動抑止設定がなされているか否かを判別し、表示制御手段によって、その判別手段によって、鳴動抑止設定がなされていることが判別されたときにおいては表示手段にメール着信表示を行わず、判別手段によって、鳴動抑止設定がなされていることが判別されたときにおいてはメール作成中止動作機能を禁止させるようにする。
【０００８】
第２の発明は、表示手段と、鳴動手段と、文字入力動作中に着信があったとき、鳴動抑止設定がなされているか否かを判別する判別手段と、その判別手段によって、鳴動抑止設定がなされていることが判別されたときにおいては表示手段に着信表示を行わせる、表示制御手段とを有し、判別手段によって、鳴動抑止設定がなされていることが判別されたときにおいては文字入力中止動作機能を禁止させ、判別手段によって、鳴動抑止設定がなされていないことが判別されたときにおいてはメール作成中止動作を行い、メール着信に関する鳴動を行い、着信したメールを表示手段に表示させるようにした携帯電話機である。
【００１０】
【発明の実施の形態】
以下に、本発明の実施の形態のメール送受信装置としての携帯電話機の例について説明する。先ず、図１を参照して、メール作成中のメール着信時の動作の設定を説明する。待ち受け状態において、ユーザーがキー操作を行って、ユーザー入力を行う（ステップＳＴ−１）。次に、ステップＳＴ−２に移行して、携帯電話機に設けられているＣＰＵは、そのキー動作はメール着信時の鳴動抑止要求か否かの判別を行う。ステップＳＴ−２の判別で、ＹＥＳのときは、ステップＳＴ−３に移行して、ＣＰＵは鳴動抑止設定を行って、ＣＰＵに付属されるメモリにその設定を記憶した後、元の待ち受け状態に戻る。
【００１１】
ステップＳＴ−２の判別でＮＯのときは、そのまま元の待ち受け状態に戻る。
【００１２】
次に、図２、図３及び図４を参照して、メール作成中のメール着信時の動作を説明する。図２は、メール作成中のメール着信時の動作を説明するためのフローチャートである。図３は、メール送受信装置としての携帯電話機の主要部のタスク構成を示すブロック線図である。図４はメール作成中のメール着信時のディスプレイの表示内容を示す略線図である。
【００１３】
メール作成動作中にメール着信がある（ステップＳＴ−４）と、プロトコル部１からアプリケーション部２のメール受信制御部３に、メール着信信号▲２▼を伝送する。
【００１４】
ステップＳＴ−４の次は、ステップＳＴ−５に移行して、携帯電話機のＣＰＵが、鳴動抑止設定がなされているか否かを判別する。ステップＳＴ−５において、ＹＥＳ、即ち、既に鳴動抑止設定がなされているときは、ステップＳＴ−６に移行して、メール受信部３からディスプレイ表示制御部６に、メール着信表示制御信号▲３▼を伝送し、これによって、ディスプレイ８の表示は図４Ａから、図４Ｂに変化して、メール着信表示（未開封の封筒のマーク）が表示される。尚、図４Ａ、Ｂにおいて、「メール作成中」とは、作成中のメールの文字が表示されている状態を示している。
【００１５】
ステップＳＴ−５において、ＮＯ、即ち、鳴動抑止設定がなされていないときは、ステップＳＴ−７に移行して、メール制御受信部３からメール作成制御部４に、メール作成中止制御信号▲４▼を伝送して、メール作成中止が行われる。
【００１６】
ステップＳＴ−７の次は、ステップＳＴ−８に移行して、メール受信制御部３から鳴動制御部５に、鳴動制御信号▲５▼を伝送して、鳴動指示が行わせ、鳴動手段７による鳴動が発生した後、メール着信動作に移行して、ディスプレイ８に着信されたメールが表示される。
【００１７】
尚、メール送受信装置は、携帯電話機に限られるものではなく、パーソナルコンピュータ等であっても良い。
【００１８】
【発明の効果】
第１の発明によれば、メール作成動作中にメール着信があったとき、判別手段によって、鳴動抑止設定がなされているか否かを判別し、表示制御手段によって、その判別手段によって、鳴動抑止設定がなされていることが判別されたときにおいては表示手段にメール着信表示を行わ、判別手段によって、鳴動抑止設定がなされていることが判別されたときにおいてはメール作成中止動作機能を禁止させるようにするので、メール作成動作中にメール着信があっても、メール作成が中断されることがなく、しかも、メール着信を知らせる鳴動の発生を停止することのできるメール送受信装置を得ることができる。
【００１９】
第２の発明によれば、表示手段と、鳴動手段と、文字入力動作中に着信があったとき、鳴動抑止設定がなされているか否かを判別する判別手段と、その判別手段によって、鳴動抑止設定がなされていることが判別されたときにおいては表示手段に着信表示を行わせる、表示制御手段とを有し、判別手段によって、鳴動抑止設定がなされていることが判別されたときにおいては文字入力中止動作機能を禁止させるようにしたので、文字入力動作中に着信があっても、文字入力が中断されることがなく、しかも、着信を知らせる鳴動の発生を停止することのできる携帯電話機を得ることができる。
【図面の簡単な説明】
【図１】本発明の実施の形態のメール送受信装置としての携帯電話機におけるメール作成中のメール着信時の動作の設定を示すフローチャートである。
【図２】本発明の実施の形態のメール送受信装置としての携帯電話機におけるメール作成中のメール着信時の動作を示すフローチャートである。
【図３】本発明の実施の形態のメール送受信装置としての携帯電話機の主要部のタスク構成を示すブロック線図である。
【図４】本発明の実施の形態のメール送受信装置としての携帯電話機のディスプレイの表示内容を示す略線図図である。
【符号の説明】
１  プロトコル部、２  アプリケーション部、３  メール受信制御部、４  メール作成制御部、５  鳴動制御部、６  ディスプレイ表示制御部、７  鳴動手段、８  ディスプレイ。
【図１】
0004457519.tif 000002
【図２】
0004457519.tif 000003
【図３】
0004457519.tif 000004
【図４】
0004457519.tif 000005